(57)【要約】【課題】バーを回動可能とした場合にも、バーの短縮を抑制しつつ、バーの回転軌道を小さくすることができるタオルハンガー及びシステムキッチンを提供する。【解決手段】キッチンに設置されるタオルハンガーであって、水平方向に延びるバーと、垂直方向を軸とする回転を可能にするための貫通孔を有する回転軸部と、前記バーと前記回転軸部とを連結する連結部と、を有するハンガー本体と、前記貫通孔に挿通される回転軸を有し、前記回転軸を中心に回動可能とした状態で前記ハンガー本体を被取付部に保持する保持部と、を備え、前記貫通孔の少なくとも一部は、前記バーと前記連結部との接続部よりも前記バーの先端側かつ前記バーの側方に設けられていることを特徴とするタオルハンガーである。【選択図】図２
2019136192.tif 000002
【特許請求の範囲】
【請求項１】
キッチンに設置されるタオルハンガーであって、
水平方向に延びるバーと、
垂直方向を軸とする回転を可能にするための貫通孔を有する回転軸部と、
前記バーと前記回転軸部とを連結する連結部と、
を有するハンガー本体と、
前記貫通孔に挿通される回転軸を有し、前記回転軸を中心に回動可能とした状態で前記ハンガー本体を被取付部に保持する保持部と、
を備え、
前記貫通孔の少なくとも一部は、前記バーと前記連結部との接続部よりも前記バーの先端側かつ前記バーの側方に設けられていることを特徴とするタオルハンガー。
【請求項２】
前記ハンガー本体は、並べて設けられた複数のバーを有し、
前記連結部は、前記複数のバーと前記回転軸部とを連結し、
前記回転軸部は、前記複数のバーの外側に位置していることを特徴とする請求項１記載のタオルハンガー。
【請求項３】
前記接続部は、略直角形状であることを特徴とする請求項１又は２に記載のタオルハンガー。
【請求項４】
前記ハンガー本体の回動をガイドするガイド軸をさらに備え、
前記回転軸部は、円弧状のガイド孔を有し、
前記ガイド軸は、前記ガイド孔に挿通されることにより、前記ガイド孔に沿って前記ハンガー本体の回動をガイドすることを特徴とする請求項１〜３のいずれか１つに記載のタオルハンガー。
【請求項５】
前記貫通孔は、前記水平方向に延びる長孔状であり、
前記保持部は、前記回転軸を中心に回動可能、かつ前記貫通孔に沿ってスライド移動可能とした状態で、前記ハンガー本体を前記被取付部に保持することを特徴とする請求項１〜３のいずれか１つに記載のタオルハンガー。
【請求項６】
前記回転軸部は、前記接続部よりも前記バーの後端側の方向に突出した突出部を有し、
長孔状の前記貫通孔の一端は、前記突出部に位置することを特徴とする請求項５記載のタオルハンガー。
【請求項７】
シンクを有するシンクカウンタと、
請求項１〜６のいずれか１つに記載のタオルハンガーと、
を備えたことを特徴とするシステムキッチン。
【請求項８】
前記シンクカウンタの後方かつ上方に位置する対面カウンタと、
前記シンクカウンタと前記対面カウンタとの間に設けられ、前方側を向く収納空間を有する収納部と、
をさらに備え、
前記タオルハンガーは、前記収納空間内に設けられていることを特徴とする請求項７記載のシステムキッチン。
【発明の詳細な説明】
【技術分野】
【０００１】
本発明の態様は、一般的に、タオルハンガー及びシステムキッチンに関する。
【背景技術】
【０００２】
キッチンに設置して使用されるタオルハンガーにおいて、タオルなどを掛けるためのバーを回動可能とすることが知られている。例えば、特許文献１では、水平方向に並べて設けられた複数のバーを有し、各バーにタオルなどを掛けられるようにするとともに、各バーを個別に回動可能とし、バー同士を離間させられるようにすることにより、複数枚のタオルを衛生的に掛けられるようにしている。
【０００３】
しかしながら、特許文献１では、水平な方向且つ複数のバーに対して垂直な方向（複数のバーの並ぶ方向）の中心に回転軸を配置している。換言すれば、複数のバーの後端部分に回転軸を配置している。このため、バーの長さが、回転軌道の大きさとなり、バーを長くする程、バーの回転軌道も大きくなってしまう。
【０００４】
バーの回転軌道が大きくなると、タオルハンガーをキッチンに設置した際に、水栓などと干渉する可能性が高くなり、タオルハンガーの設置の自由度が低下してしまう。一方、回転軌道を小さくするためにバーを短くすると、タオルなどが掛け難くなってしまう。
【０００５】
このため、タオルハンガー及びこれを備えたシステムキッチンでは、バーを回動可能とした場合にも、バーの短縮を抑制しつつ、バーの回転軌道を小さくできるようにすることが望まれる。
【先行技術文献】
【特許文献】
【０００６】
【特許文献１】特開２０００−３５４５５０号公報
【発明の概要】
【発明が解決しようとする課題】
【０００７】
本発明は、かかる課題の認識に基づいてなされたものであり、バーを回動可能とした場合にも、バーの短縮を抑制しつつ、バーの回転軌道を小さくすることができるタオルハンガー及びシステムキッチンを提供することを目的とする。
【課題を解決するための手段】
【０００８】
第１の発明は、キッチンに設置されるタオルハンガーであって、水平方向に延びるバーと、垂直方向を軸とする回転を可能にするための貫通孔を有する回転軸部と、前記バーと前記回転軸部とを連結する連結部と、を有するハンガー本体と、前記貫通孔に挿通される回転軸を有し、前記回転軸を中心に回動可能とした状態で前記ハンガー本体を被取付部に保持する保持部と、を備え、前記貫通孔の少なくとも一部は、前記バーと前記連結部との接続部よりも前記バーの先端側かつ前記バーの側方に設けられていることを特徴とするタオルハンガーである。
【０００９】
このタオルハンガーによれば、貫通孔の少なくとも一部が、バーと連結部との接続部よりもバーの先端側かつバーの側方に設けられていることにより、バーを回動可能とした場合にも、バーの短縮を抑制しつつ、バーの回転軌道を小さくすることができる。従って、キッチンに設置されるタオルハンガーであっても、ハンガー本体を回動させる際に、水栓などと干渉してしまうことを抑制することができ、タオルハンガーの設置の自由度を高めることができる。また、バーの回転軌道を小さくしつつも、バーの適切な長さを確保することができ、タオルなどを掛け易くすることができる。
【００１０】
第２の発明は、第１の発明において、前記ハンガー本体は、並べて設けられた複数のバーを有し、前記連結部は、前記複数のバーと前記回転軸部とを連結し、前記回転軸部は、前記複数のバーの外側に位置していることを特徴とするタオルハンガーである。
【００１１】
このタオルハンガーによれば、複数のバーを有することにより、複数枚のタオルを掛けたり、タオルを広げて掛けたりすることができ、タオルハンガーの使い勝手をより向上させることができる。また、回転軸部を複数のバーの外側に位置させることにより、タオルハンガーをキッチンに設置した際に、複数のバーを使用時にキッチンの前方側に出し易くすることができるとともに、複数のバーを非使用時にキッチンの後方側に移動させ易くすることができる。すなわち、タオルハンガーの使用時の使い勝手の向上と、非使用時の収納性の向上と、を図ることができる。
【００１２】
第３の発明は、第１又は第２の発明において、前記接続部は、略直角形状であることを特徴とするタオルハンガーである。
【００１３】
このタオルハンガーによれば、接続部を略直角形状とすることにより、接続部を鋭角形状とした場合と比べて、タオルなどを掛け易くすることができる。また、接続部を鈍角形状とした場合と比べて、タオルハンガー全体の大きさが大きくなってしまうことを抑制することができる。
【００１４】
第４の発明は、第１〜第３のいずれか１つの発明において、前記ハンガー本体の回動をガイドするガイド軸をさらに備え、前記回転軸部は、円弧状のガイド孔を有し、前記ガイド軸は、前記ガイド孔に挿通されることにより、前記ガイド孔に沿って前記ハンガー本体の回動をガイドすることを特徴とするタオルハンガーである。
【００１５】
このタオルハンガーによれば、ハンガー本体を回転軸とガイド軸との２点で支えることが可能となり、ハンガー本体の回動をより安定させることができる。また、ガイド孔の形状に応じて、ハンガー本体の可動範囲を規制することもできる。
【００１６】
第５の発明は、第１〜第３のいずれか１つの発明において、前記貫通孔は、前記水平方向に延びる長孔状であり、前記保持部は、前記回転軸を中心に回動可能、かつ前記貫通孔に沿ってスライド移動可能とした状態で、前記ハンガー本体を前記被取付部に保持することを特徴とするタオルハンガーである。
【００１７】
このタオルハンガーによれば、ハンガー本体をスライド移動させることができ、より使い勝手を向上させることができる。例えば、ハンガー本体の回転軌道を小さくするために、水平方向の中央付近に回転軸を配置すると、タオルハンガーをキッチンに設置した際に、使用時においてもバーの前出の長さが短くなってしまう可能性がある。これに対して、ハンガー本体をスライド移動可能とすることにより、水平方向の中央付近に回転軸を配置した場合にも、ハンガー本体をスライド移動させることでバーの前出の長さを長くすることができる。これにより、使い勝手を向上させることができる。
【００１８】
第６の発明は、第５の発明において、前記回転軸部は、前記接続部よりも前記バーの後端側の方向に突出した突出部を有し、長孔状の前記貫通孔の一端は、前記突出部に位置することを特徴とするタオルハンガーである。
【００１９】
このタオルハンガーによれば、ハンガー本体を回動する際に、バーと連結部との接続部がキッチンの壁面などと干渉することを抑制しつつ、ハンガー本体のスライド移動の移動量をより大きくすることができ、より使い勝手を向上させることができる。例えば、バーの前出の長さをより長くすることができる。
【００２０】
第７の発明は、シンクを有するシンクカウンタと、第１〜第６のいずれか１つの発明のタオルハンガーと、を備えたことを特徴とするシステムキッチンである。
【００２１】
このシステムキッチンによれば、貫通孔の少なくとも一部が、バーと連結部との接続部よりもバーの先端側かつバーの側方に設けられていることにより、バーを回動可能とした場合にも、バーの短縮を抑制しつつ、バーの回転軌道を小さくすることができる。従って、ハンガー本体を回動させる際に、システムキッチンの水栓などと干渉してしまうことを抑制することができ、タオルハンガーの設置の自由度を高めることができる。また、バーの回転軌道を小さくしつつも、バーの適切な長さを確保することができ、タオルなどを掛け易くすることができる。
【００２２】
第８の発明は、第７の発明において、前記シンクカウンタの後方かつ上方に位置する対面カウンタと、前記シンクカウンタと前記対面カウンタとの間に設けられ、前方側を向く収納空間を有する収納部と、をさらに備え、前記タオルハンガーは、前記収納空間内に設けられていることを特徴とするシステムキッチンである。
【００２３】
このシステムキッチンによれば、バーの回転軌道を小さくすることができるため、タオルハンガーを収納空間内に設ける場合にも、タオルハンガーによって収納空間を狭めてしまったり、収納空間内の他の収納物と干渉したりすることを抑制することができる。すなわち、収納空間を有効的に活用することができ、限られた収納空間の中で、より多くの収納物を収納することができる。また、タオルハンガーの設置スペースを小さくすることができ、収納空間の小型化を図ることもできる。換言すれば、狭い収納空間にもタオルハンガーを設置することできる。収納空間が狭くても、十分な収納をすることもできる。
【発明の効果】
【００２４】
本発明の態様によれば、バーを回動可能とした場合にも、バーの短縮を抑制しつつ、バーの回転軌道を小さくすることができるタオルハンガー及びシステムキッチンが提供される。
【図面の簡単な説明】
【００２５】
【図１】第１の実施形態に係るシステムキッチンを模式的に表す斜視図である。
【図２】第１の実施形態に係るタオルハンガーを模式的に表す斜視図である。
【図３】図３（ａ）及び図３（ｂ）は、第１の実施形態に係るシステムキッチン及びタオルハンガーを模式的に表す平面図である。
【図４】第２の実施形態に係るタオルハンガーを模式的に表す斜視図である。
【図５】図５（ａ）〜図５（ｅ）は、第２の実施形態に係るシステムキッチン及びタオルハンガーを模式的に表す平面図である。
【発明を実施するための形態】
【００２６】
以下、本発明の実施の形態について図面を参照しつつ説明する。なお、各図面中、同様の構成要素には同一の符号を付して詳細な説明は適宜省略する。
【００２７】
（第１の実施形態）
図１は、第１の実施形態に係るシステムキッチンを模式的に表す斜視図である。  
図１に表したように、システムキッチン１０は、シンクカウンタ１２と、対面カウンタ１４と、を備える。システムキッチン１０は、例えば、キッチン及びリビング（ダイニング）と対面して設置される対面式のシステムキッチンである。システムキッチン１０は、例えば、リビング側を向いた状態で炊事などを行えるようにする。但し、システムキッチン１０は、対面式に限ることなく、例えば、キッチンの壁面を向くように取り付けられる、いわゆるクローズドタイプのシステムキッチンなどでもよい。
【００２８】
以下、本願明細書においては、リビング側に立ち、キッチン側を向くようにシステムキッチン１０と対面する使用者からみた上方、下方、前方、後方、右側方、及び左側方を、それぞれ「上方」、「下方」、「前方」、「後方」、「右側方」、及び「左側方」とする。前方は、換言すれば、システムキッチン１０のキッチン側を向く方向である。
【００２９】
シンクカウンタ１２は、上面１２ａを有する。シンクカウンタ１２は、例えば、上面視において略長方形の平板状である。シンクカウンタ１２は、例えば、上面１２ａが略水平となるように設置される。シンクカウンタ１２の少なくとも上面１２ａの部分には、例えば、ステンレス、人工大理石、又は人造大理石などが用いられる。
【００３０】
シンクカウンタ１２は、シンク１６を有する。シンク１６は、シンクカウンタ１２の上面１２ａよりも下方に凹む。シンク１６は、シンクカウンタ１２の平板状の天板部と一体に形成してもよいし、天板部とは別に形成した後、接着などを介して天板部に取り付けてもよい。
【００３１】
シンク１６内、又はシンクカウンタ１２のシンク１６の周辺には、水栓１８が設けられる。水栓１８は、システムキッチン１０に取り付けて使用される。水栓１８は、例えば、シンク１６の後方側に設けられる。水栓１８は、シンク１６内に向けて湯水を吐水する。換言すれば、シンク１６は、水栓１８から吐水された湯水を受ける。また、シンク１６は、水栓１８などから受けた湯水を排水管などを介して外部に排出する。
【００３２】
シンクカウンタ１２は、コンロ２０を取り付けるための開口部１２ｂを有する。コンロ２０は、システムキッチン１０に取り付けて使用される。コンロ２０は、例えば、ガスコンロ、電気コンロ、又は電磁調理器などである。
【００３３】
また、シンクカウンタ１２は、調理やシンク１６で洗った食器の片付けなどの種々の作業を行うための作業スペース１２ｃをさらに有する。作業スペース１２ｃは、例えば、シンク１６とコンロ２０（開口部１２ｂ）との間に設けられる。すなわち、この例では、シンクカウンタ１２の左端側にシンク１６が配置され、シンクカウンタ１２の右端側にコンロ２０が配置され、シンクカウンタ１２の中央付近に作業スペース１２ｃが配置されている。シンク１６、コンロ２０、及び作業スペース１２ｃの配置は、上記に限ることなく、任意の配置でよい。例えば、シンク１６をシンクカウンタ１２の中央付近に配置してもよいし、コンロ２０をシンクカウンタ１２の中央付近に配置してもよい。
【００３４】
対面カウンタ１４は、シンクカウンタ１２の後方（リビング側）に設けられる。対面カウンタ１４は、シンクカウンタ１２よりも上方に位置する。対面カウンタ１４の高さは、シンクカウンタ１２の高さよりも高い。
【００３５】
このように、対面カウンタ１４を設けることにより、キッチン側とリビング側との開放感を保ちつつ、乱雑になりがちなシンクカウンタ１２の上面１２ａやシンク１６内などをリビング側から見え難くすることができる。さらには、水などがリビング側にこぼれてしまうことを抑制することもできる。システムキッチン１０は、いわゆるハイステップ型の対面式のシステムキッチンである。
【００３６】
システムキッチン１０は、例えば、キャビネット部２２と、収納部２４と、をさらに備える。キャビネット部２２は、シンクカウンタ１２及び対面カウンタ１４を支持する。また、キャビネット部２２は、例えば、コンロ２０を支持する。キャビネット部２２は、内部に収納空間を有し、キッチン用品などの物品を収納可能とする。キャビネット部２２は、建築の床面に設置される。シンクカウンタ１２、対面カウンタ１４、及びコンロ２０などは、キャビネット部２２を介して建築の床面に設置される。キャビネット部２２は、いわゆるフロアキャビネットである。
【００３７】
収納部２４は、シンクカウンタ１２と対面カウンタ１４との間に設けられている。収納部２４は、前方側（キッチン側）を向く収納空間２４ａを有する。収納部２４は、より詳しくは、シンクカウンタ１２の後方かつ対面カウンタ１４の下方に設けられる。収納部２４は、キッチン用品などの物品の収納を可能にする。これにより、システムキッチン１０の収納性及び使い勝手をより向上させることができる。
【００３８】
この例において、収納部２４は、シンクカウンタ１２の作業スペース１２ｃ及びシンク１６の後方に設けられ、コンロ２０の後方には設けられていない。収納部２４は、これに限ることなく、シンクカウンタ１２の全体の後方に設けてもよいし、作業スペース１２ｃの後方側のみ、あるいはシンク１６の後方側のみに設けてもよい。収納部２４を設ける位置は、シンクカウンタ１２と対面カウンタ１４との間の任意の位置でよい。
【００３９】
また、対面カウンタ１４、キャビネット部２２、及び収納部２４などは、システムキッチン１０に必要に応じて設けられ、省略可能である。例えば、システムキッチン１０をクローズドタイプとする場合などには、対面カウンタ１４を省略してもよい。
【００４０】
図２は、第１の実施形態に係るタオルハンガーを模式的に表す斜視図である。  
図２に表したように、タオルハンガー１００は、ハンガー本体１０２と、保持部１０４と、を備える。タオルハンガー１００は、タオルや布巾などの布、あるいはペーパータオルなどの紙を掛けられるようにする。
【００４１】
タオルハンガー１００は、システムキッチン１０に取り付けて使用される（図１参照）。換言すれば、システムキッチン１０は、タオルハンガー１００を備えている。タオルハンガー１００は、例えば、収納空間２４ａ内に設けられ、収納空間２４ａの天井面に取り付けられた状態で使用される。これにより、作業スペース１２ｃなどを狭めることなくタオルなどをシンク１６の近傍に置くことができるとともに、濡れたタオルなどを乾かすこともでき、システムキッチン１０の使い勝手を向上させることができる。
【００４２】
なお、タオルハンガー１００は、システムキッチン１０とは別に、キッチンの壁面などに取り付けて使用してもよい。タオルハンガー１００の使用の態様は、システムキッチン１０に取り付けて使用する態様に限ることなく、キッチンに設置して使用する任意の態様でよい。
【００４３】
ハンガー本体１０２は、バー１１０と、回転軸部１１２と、連結部１１４と、を有する。バー１１０は、水平方向に延びる。これにより、バー１１０は、タオルなどを掛けられるようにする。バー１１０は、例えば、長尺な平板状である。バー１１０の形状は、これに限ることなく、例えば、棒状などでもよい。
【００４４】
ハンガー本体１０２は、例えば、並べて設けられた複数のバー１１０を有する。複数のバー１１０は、側方に並ぶ。複数のバー１１０は、より詳しくは、バー１１０の延びる方向（水平方向）及び垂直方向と直交する方向に並ぶ。この例おいて、ハンガー本体１０２は、２本のバー１１０を有する。ハンガー本体１０２に設けられるバー１１０の数は、２本に限ることなく、３本以上でもよい。また、ハンガー本体１０２に設けられるバー１１０の数は、複数に限ることなく、１本でもよい。
【００４５】
回転軸部１１２は、垂直方向（上下方向）を軸とする回転を可能にするための貫通孔１１２ａを有する。連結部１１４は、バー１１０と回転軸部１１２とを連結する。また、連結部１１４は、複数のバー１１０のそれぞれと回転軸部１１２とを連結する。連結部１１４は、例えば、各バー１１０の後端と回転軸部１１２とを連結する。
【００４６】
連結部１１４は、例えば、各バー１１０の延びる方向及び垂直方向と略直交する方向に延び、各バー１１０と回転軸部１１２とを連結する。従って、各バー１１０と連結部１１４との接続部１１４ａは、略直角形状である。換言すれば、バー１１０と連結部１１４との接続部１１４ａにおいて、連結部１１４は、バー１１０と略直交する。略直角形状とは、例えば、接続部１１４ａにおいて、バー１１０と連結部１１４との成す角度θが、８５°以上９５°以下の状態である。連結部１１４の形状は、少なくとも接続部１１４ａが略直角形状となる任意の形状でよい。
【００４７】
回転軸部１１２の少なくとも一部は、バー１１０と連結部１１４との接続部１１４ａよりもバー１１０の先端側かつバー１１０の側方に設けられている。回転軸部１１２は、少なくとも貫通孔１１２ａを、接続部１１４ａよりも先端側に配置する。換言すれば、回転軸部１１２は、バー１１０の後端よりも先端側に貫通孔１１２ａを配置する。貫通孔１１２ａの少なくとも一部は、接続部１１４ａよりもバー１１０の先端側かつバー１１０の側方に設けられている。また、回転軸部１１２は、複数のバー１１０の外側に位置している。但し、回転軸部１１２は、例えば、２つのバー１１０の間に設けてもよい。
【００４８】
保持部１０４は、貫通孔１１２ａに挿通される回転軸１０４ａを有し、回転軸１０４ａを中心に回動可能とした状態でハンガー本体１０２を被取付部に保持する。この例において、被取付部は、システムキッチン１０の収納部２４である。例えば、タオルハンガー１００をキッチンの壁面に取り付ける場合には、キッチンの壁面が被取付部となる。被取付部は、タオルハンガー１００が取り付けられる任意の部材でよい。
【００４９】
タオルハンガー１００は、例えば、鬼目ナット１２０と、スペーサ１２２と、ワッシャ１２４と、を有する。鬼目ナット１２０は、収納部２４の収納空間２４ａの天井面に埋め込まれる。スペーサ１２２及びワッシャ１２４は、収納空間２４ａの天井面と回転軸部１１２との間に設けられ、収納空間２４ａの天井面と回転軸部１１２との間に所定の隙間を設ける。
【００５０】
保持部１０４は、回転軸１０４ａを貫通孔１１２ａに下方から挿通し、鬼目ナット１２０と螺合することにより、上記のようにハンガー本体１０２を収納部２４に保持する。保持部１０４は、例えば、ローレットネジである。保持部１０４の構成は、上記に限ることなく、ハンガー本体１０２を回動可能に保持することできる任意の構成でよい。
【００５１】
タオルハンガー１００は、ハンガー本体１０２の回動をガイドするガイド軸１０６をさらに備える。回転軸部１１２は、円弧状のガイド孔１１２ｂを有する。ガイド軸１０６は、ガイド孔１１２ｂに挿通されることにより、ガイド孔１１２ｂに沿ってハンガー本体１０２の回動をガイドする。
【００５２】
タオルハンガー１００は、例えば、鬼目ナット１３０と、スペーサ１３２と、ワッシャ１３４と、を有する。鬼目ナット１３０は、収納部２４の収納空間２４ａの天井面に埋め込まれる。スペーサ１３２及びワッシャ１３４は、収納空間２４ａの天井面と回転軸部１１２との間に設けられ、収納空間２４ａの天井面と回転軸部１１２との間に所定の隙間を設ける。
【００５３】
ガイド軸１０６は、ガイド孔１１２ｂに下方から挿通され、鬼目ナット１３０と螺合することにより、上記のようにハンガー本体１０２の回動をガイドする。ガイド軸１０６は、例えば、ローレットネジである。ガイド軸１０６の構成は、上記に限ることなく、ハンガー本体１０２の回動をガイド可能な任意の構成でよい。この例では、ガイド軸１０６を保持部１０４と別に構成している。ガイド軸１０６は、例えば、保持部１０４と一体に構成してもよい。
【００５４】
この例では、回転軸部１１２及び連結部１１４も、各バー１１０と同様に、平板状である。各バー１１０、回転軸部１１２、及び連結部１１４は、一体に成形されている。これにより、例えば、金属板を型抜き成形することなどにより、タオルハンガー１００を製造することができる。例えば、タオルハンガー１００の生産性を向上させ、タオルハンガー１００の製造コストを抑えることができる。各バー１１０、回転軸部１１２、及び連結部１１４は、例えば、それぞれ別体に構成した後、ネジ止めや接着などで一体化させてもよい。
【００５５】
図３（ａ）及び図３（ｂ）は、第１の実施形態に係るシステムキッチン及びタオルハンガーを模式的に表す平面図である。  
図３（ａ）及び図３（ｂ）に表したように、タオルハンガー１００のハンガー本体１０２は、保持部１０４を介してシステムキッチン１０に取り付けられることにより、各バー１１０の先端をシステムキッチン１０の前方に向けた第１位置（図３（ａ）に表した位置）と、各バー１１０の先端をシステムキッチン１０の側方に向け、各バー１１０の先端を第１位置よりも後方に退避させた第２位置（図３（ｂ）に表した位置）と、に回動する。なお、図３（ａ）及び図３（ｂ）では、便宜的に対面カウンタ１４の図示を省略している。
【００５６】
第１位置は、換言すれば、少なくとも各バー１１０の先端を収納空間２４ａよりも前方に突出させた突出位置である。第２位置は、換言すれば、ハンガー本体１０２（タオルハンガー１００）を収納部２４の収納空間２４ａ内に収納した収納位置である。
【００５７】
ハンガー本体１０２を第１位置にすることにより、各バー１１０にタオルなどを掛けたり、各バー１１０からタオルなどを取ったりしやすくすることができる。そして、ハンガー本体１０２を第２位置にすることにより、シンク１６の使用時などに各バー１１０が邪魔になることを抑制することができる。従って、システムキッチン１０及びタオルハンガー１００の使い勝手を向上させることができる。
【００５８】
また、図３（ａ）及び図３（ｂ）に表したように、タオルハンガー１００は、例えば、ハンガー本体１０２を回動させた際にも水栓１８と干渉せず、かつ第１位置において少なくとも各バー１１０の先端がシンク１６の上方に設けられる位置に配置される。これにより、例えば、濡れたタオルなどを各バー１１０に掛けた際に、タオルなどから滴下した水をシンク１６に流すことができる。従って、タオルなどから滴下した水が、シンクカウンタ１２の上面１２ａなどに溜まってしまうことを抑制でき、システムキッチン１０の使い勝手をより向上させることができる。
【００５９】
また、シンクカウンタ１２の上面１２ａの上に、水切りかご３０などが載置される場合がある。上記のようにタオルハンガー１００を配置することにより、ハンガー本体１０２と水切りかご３０などとの干渉も抑制することができる。
【００６０】
以上、説明したように、本実施形態に係るシステムキッチン１０及びタオルハンガー１００によれば、貫通孔１１２ａの少なくとも一部が、バー１１０と連結部１１４との接続部１１４ａよりもバー１１０の先端側かつバー１１０の側方に設けられている。これにより、例えば、バーの後端部分に回転軸を配置した構成などと比べて、バー１１０を回動可能とした場合にも、バー１１０の短縮を抑制しつつ、バー１１０の回転軌道ＲＶ（図３参照）を小さくすることができる。従って、キッチンに設置されるタオルハンガー１００であっても、ハンガー本体１０２を回動させる際に、水栓１８などと干渉してしまうことを抑制することができ、タオルハンガー１００の設置の自由度を高めることができる。また、バー１１０の回転軌道ＲＶを小さくしつつも、バー１１０の適切な長さを確保することができ、タオルなどを掛け易くすることができる。
【００６１】
また、システムキッチン１０では、バー１１０の回転軌道ＲＶを小さくすることができるため、タオルハンガー１００を収納空間２４ａ内に設ける場合にも、タオルハンガー１００によって収納空間を狭めてしまったり、収納空間２４ａ内の他の収納物と干渉したりすることを抑制することができる。すなわち、収納空間２４ａを有効的に活用することができ、限られた収納空間２４ａの中で、より多くの収納物を収納することができる。また、タオルハンガー１００の設置スペースを小さくすることができ、収納空間２４ａの小型化を図ることもできる。換言すれば、狭い収納空間２４ａにもタオルハンガー１００を設置することできる。収納空間２４ａが狭くても、十分な収納をすることもできる。
【００６２】
また、タオルハンガー１００では、複数のバー１１０を有することにより、複数枚のタオルを掛けたり、タオルを広げて掛けたりすることができ、タオルハンガー１００の使い勝手をより向上させることができる。また、回転軸部１１２を複数のバー１１０の外側に位置させることにより、タオルハンガー１００をキッチンに設置した際に、複数のバー１１０を使用時にキッチンの前方側に出し易くすることができるとともに、複数のバー１１０を非使用時にキッチンの後方側に移動させ易くすることができる。
【００６３】
例えば、タオルハンガー１００を収納部２４に設けた際に、ハンガー本体１０２を収納空間２４ａ内に収納し易くすることができるとともに、各バー１１０の先端を収納空間２４ａよりも前方に出し易くすることができる。従って、タオルハンガー１００の使用時の使い勝手の向上と、非使用時の収納性の向上と、を図ることができる。
【００６４】
また、タオルハンガー１００では、接続部１１４ａを略直角形状とすることにより、接続部１１４ａを鋭角形状とした場合と比べて、タオルなどを掛け易くすることができる。また、接続部１１４ａを鈍角形状とした場合と比べて、タオルハンガー１００全体の大きさが大きくなってしまうことを抑制することができる。
【００６５】
また、タオルハンガー１００では、ハンガー本体１０２を回転軸１０４ａとガイド軸１０６との２点で支えることが可能となり、ハンガー本体１０２の回動をより安定させることができる。また、ガイド孔１１２ｂの形状に応じて、ハンガー本体１０２の可動範囲を規制することもできる。例えば、ハンガー本体１０２の可動範囲を第１位置と第２位置との間に規制することができる。
【００６６】
（第２の実施形態）
図４は、第２の実施形態に係るタオルハンガーを模式的に表す斜視図である。  
なお、上記第１の実施形態と機能・構成上実質的に同じものについては、同符号を付し、詳細な説明は省略する。  
図４に表したように、タオルハンガー２００は、ハンガー本体２０２を備える。なお、ハンガー本体２０２を保持する保持部には、第１の実施形態に関して説明した保持部１０４と実質的に同じものを用いることができるから、詳細な説明は省略する。
【００６７】
ハンガー本体２０２は、バー２１０と、回転軸部２１２と、連結部２１４と、を有する。バー２１０は、第１の実施形態のバー１１０と同様に、水平方向に延びる。ハンガー本体２０２は、並べて設けられた２本のバー２１０を有する。バー２１０の数は、１本でもよいし、３本以上でもよい。
【００６８】
回転軸部２１２は、垂直方向を軸とする回転を可能にするための貫通孔２１２ａを有する。連結部２１４は、各バー２１０と回転軸部２１２とを連結する。連結部２１４の構成は、第１の実施形態の連結部１１４と同様であるから、詳細な説明は省略する。
【００６９】
タオルハンガー２００においても、回転軸部２１２の少なくとも一部は、バー２１０と連結部２１４との接続部２１４ａよりもバー２１０の先端側かつバー２１０の側方に設けられている。回転軸部２１２は、少なくとも貫通孔２１２ａの少なくとも一部を、接続部２１４ａよりも先端側に配置する。換言すれば、回転軸部２１２は、バー２１０の後端よりも先端側に貫通孔２１２ａを配置する。また、回転軸部２１２は、複数のバー２１０の外側に位置している。但し、回転軸部２１２は、例えば、２つのバー２１０の間に設けてもよい。
【００７０】
また、タオルハンガー２００では、回転軸部２１２が、各バー２１０と同じ水平方向に延びる。回転軸部２１２の形状は、各バー２１０の形状と同様に、長尺な平板状である。これにより、タオルハンガー２００においては、回転軸部２１２をバーとして用いることもできる。
【００７１】
回転軸部２１２において、貫通孔２１２ａは、水平方向に延びる長孔状である。保持部１０４は、回転軸１０４ａを中心に回動可能、かつ貫通孔２１２ａに沿ってスライド移動可能とした状態で、ハンガー本体２０２を被取付部に保持する。
【００７２】
回転軸部２１２は、接続部２１４ａよりもバー２１０の後端側の方向に突出した突出部２１２ｂを有する。長孔状の貫通孔２１２ａの一端ＥＤ１は、突出部２１２ｂに位置する。一方、貫通孔２１２ａの他端ＥＤ２は、各バー２１０の水平方向の中央付近に配置されている。ここで、バー２１０の水平方向の中央付近とは、例えば、バー２１０を水平方向に三等分した時の中央の部分である。
【００７３】
図５（ａ）〜図５（ｅ）は、第２の実施形態に係るシステムキッチン及びタオルハンガーを模式的に表す平面図である。  
図５（ａ）及び図５（ｂ）に表したように、タオルハンガー２００においても、ハンガー本体２０２は、各バー２１０の先端をシステムキッチン１０の前方に向けた第１位置（図５（ｂ）に表した位置）と、各バー２１０の先端をシステムキッチン１０の側方に向け、各バー２１０の先端を第１位置よりも後方に退避させた第２位置（図５（ａ）に表した位置）と、に回動する。すなわち、タオルハンガー２００においても、突出位置と収納位置とに回動させることができる。
【００７４】
この際、貫通孔２１２ａの他端ＥＤ２側に回転軸１０４ａを配置してハンガー本体２０２を回動させる。これにより、ハンガー本体２０２の回転軌道ＲＶ１を、貫通孔２１２ａの一端ＥＤ１側に回転軸１０４ａを配置してハンガー本体２０２を回動させる場合の回転軌跡ＲＶ２よりも小さくすることができる。
【００７５】
図５（ａ）及び図５（ｂ）に表したように、突出部２１２ｂは、貫通孔２１２ａの他端ＥＤ２側に回転軸１０４ａを配置してハンガー本体２０２を回動させた際の各バー２１０の回転軌道ＲＶ１よりも外側に突出しない。これにより、各バー２１０の後端側の方向に突出した突出部２１２ｂを設けた場合にも、突出部２１２ｂが回動の妨げとなってしまうことを抑制することができる。
【００７６】
図５（ｃ）に表したように、タオルハンガー２００では、貫通孔２１２ａの他端ＥＤ２側に回転軸１０４ａを配置してハンガー本体２０２を回動させ、ハンガー本体２０２を第２位置から第１位置に移動させた後、回転軸１０４ａが貫通孔２１２ａの他端ＥＤ２から一端ＥＤ１に向かうように、ハンガー本体２０２を前方にスライド移動させることにより、各バー２１０をさらに手前側に引き出すことができる。
【００７７】
図５（ｄ）に表したように、タオルハンガー２００では、貫通孔２１２ａの他端ＥＤ２側に回転軸１０４ａを配置してハンガー本体２０２を回動させ、ハンガー本体２０２を第２位置から第１位置に移動させた後、ハンガー本体２０２をさらに回動させることで、各バー２１０の先端をシステムキッチン１０の側方に向けた状態で、各バー２１０を収納空間２４ａよりも前方に引き出すことができる。
【００７８】
さらに、図５（ｅ）に表したように、各バー２１０の先端をシステムキッチン１０の側方に向けて収納空間２４ａよりも前方に引き出した状態で、ハンガー本体２０２を左右方向にスライド移動させることもできる。
【００７９】
例えば、各バー２１０の少なくとも一部をシンク１６の上方に配置する位置（図５（ｄ）に表した位置）と、各バー２１０をシンク１６から左右方向に退避させた位置（図５（ｅ）に表した位置）と、にハンガー本体２０２をスライド移動させることができる。このように、タオルハンガー２００では、タオルハンガー１００と比べて、ハンガー本体２０２の配置の自由度をより高めることができる。例えば、シンクカウンタ１２の上面１２ａの上に載置された水切りかご３０に、バー２１０を近接させて配置することができる。
【００８０】
このように、本実施形態に係るタオルハンガー２００では、ハンガー本体２０２をスライド移動させることができ、より使い勝手を向上させることができる。例えば、ハンガー本体２０２の回転軌道を小さくするために、水平方向の中央付近に回転軸１０４ａを配置すると、タオルハンガー２００をキッチンに設置した際に、使用時においてもバー２１０の前出の長さが短くなってしまう可能性がある。これに対して、ハンガー本体２０２をスライド移動可能とすることにより、水平方向の中央付近に回転軸１０４ａを配置した場合にも、ハンガー本体２０２をスライド移動させることでバー２１０の前出の長さを長くすることができる。これにより、使い勝手を向上させることができる。
【００８１】
また、タオルハンガー２００では、回転軸部２１２が突出部２１２ｂを有し、長孔状の貫通孔２１２ａの一端ＥＤ１が突出部２１２ｂに位置することにより、ハンガー本体２０２を回動する際に、バー２１０と連結部２１４との接続部２１４ａがキッチンの壁面などと干渉することを抑制しつつ、ハンガー本体２０２のスライド移動の移動量をより大きくすることができ、より使い勝手を向上させることができる。例えば、バー２１０の前出の長さをより長くすることができる。
【００８２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、システムキッチン１０、タオルハンガー１００、２００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００８３】
１０ システムキッチン、  １２ シンクカウンタ、  １４ 対面カウンタ、  １６ シンク、  １８ 水栓、  ２０ コンロ、  ２２ キャビネット部、  ２４ 収納部、  ２４ａ 収納空間、  ３０ 水切りかご、  １００ タオルハンガー、  １０２ ハンガー本体、  １０４ 保持部、  １０４ａ 回転軸、  １０６ ガイド軸、  １１０ バー、  １１２ 回転軸部、  １１２ａ 貫通孔、  １１２ｂ ガイド孔、  １１４ 連結部、  １１４ａ 接続部、  １２０ 鬼目ナット、  １２２ スペーサ、  １２４ ワッシャ、  １３０ 鬼目ナット、  １３２ スペーサ、  １３４ ワッシャ、  ２００ タオルハンガー、  ２０２ ハンガー本体、  ２１０ バー、  ２１２ 回転軸部、  ２１２ａ 貫通孔、  ２１２ｂ 突出部、  ２１４ 連結部、  ２１４ａ 接続部
【図１】
2019136192.tif 000003
【図２】
2019136192.tif 000004
【図３】
2019136192.tif 000005
【図４】
2019136192.tif 000006
【図５】
2019136192.tif 000007